(57)【要約】【課題】  指や指示棒等の座標入力手段を用いて入力を行う電子ボードシステムにおいて、２点以上の同時入力を行う際に複数の機能を同時に使用可能にすること。【解決手段】  表示画面の入力エリアに対して、電子ボードの機能を制御する複数の操作ボタンから成るツールバーを表示し、座標入力手段により指示された操作ボタンに対応する電子ボード機能を実行する表示制御手段を備えた電子ボードシステムであって、入力エリアを複数の入力エリアに区分する境界位置に前記ツールバーを表示し、かつ区分した入力エリアにそれぞれ対応した複数列の操作ボタン群を表示する手段と、入力座標点がいずれかの操作ボタン位置であれば当該操作ボタンに割り当てられた電子ボード機能を実行し、ツールバーの周辺部位置を指示した状態でのツールバー移動操作であれば当該移動操作終了位置までツールバーを移動させ、入力エリアの大きさを変更する手段を備えることを特徴とする。【選択図】        図６
2010257300.tif 000002
【特許請求の範囲】
【請求項１】
電子ボードの表示画面の入力エリアに対して、電子ボードの機能を制御する複数の操作ボタンから成るツールバーを表示し、座標入力手段により指示された操作ボタンに対応する電子ボード機能を実行する表示制御手段を備えた電子ボードシステムであって、
前記表示制御手段が、
前記入力エリアを複数の入力エリアに区分する境界位置に前記ツールバーを表示し、かつ区分した入力エリアにそれぞれ対応した複数列の操作ボタン群を表示する手段と、
前記座標入力手段によって入力された座標点が前記ツールバーの操作ボタン位置であるか、または操作ボタンの周辺部位置であるかを判定し、いずれかの操作ボタン位置であれば当該操作ボタンに割り当てられた電子ボード機能を実行し、前記周辺部位置であり、かつ当該周辺部位置を指示した状態でのツールバー移動操作であれば当該移動操作終了位置までツールバーを移動させ、入力エリアの大きさを変更する手段と、
前記座標入力手段によって入力された座標点が前記ツールバーの表示位置とは異なる位置であれば、入力された座標点とツールバーの表示位置とを比較し、ツールバーの表示位置に対する入力座標点に応じて、当該入力された座標点を複数の入力エリアのいずれかの入力エリアへの入力座標点として決定する手段と
を備えることを特徴とする電子ボードシステム。
【請求項２】
電子ボードの表示画面の入力エリアに対して、電子ボードの機能を制御する複数の操作ボタンから成るツールバーを表示し、座標入力手段により指示された操作ボタンに対応する電子ボード機能を実行するプログラムであって、
前記入力エリアを複数の入力エリアに区分する境界位置に前記ツールバーを表示し、かつ区分した入力エリアにそれぞれ対応した複数列の操作ボタン群を表示するステップと、
前記座標入力手段によって入力された座標点が前記ツールバーの操作ボタン位置であるか、または操作ボタンの周辺部位置であるかを判定し、いずれかの操作ボタン位置であれば当該操作ボタンに割り当てられた電子ボード機能を実行し、前記周辺部位置であり、かつ当該周辺部位置を指示した状態でのツールバー移動操作であれば当該移動操作終了位置までツールバーを移動させ、入力エリアの大きさを変更するステップと、
前記座標入力手段によって入力された座標点が前記ツールバーの表示位置とは異なる位置であれば、入力された座標点とツールバーの表示位置とを比較し、ツールバーの表示位置に対する入力座標点に応じて、当該入力された座標点を複数の入力エリアのいずれかの入力エリアへの入力座標点として決定するステップとを備えることを特徴とするプログラム。
【発明の詳細な説明】
【技術分野】
【０００１】
本発明は、指や指示棒などの座標入力手段から２点以上の入力点情報を同時に受け取り、その各入力点情報に基づき、操作画面上の２つ以上の操作領域で座標入力手段のそれぞれが独立して文字オブジェクトの描画や、画像オブジェクトの操作を行うことが可能な電子ボードシステム及びプログラムに関するものである。
【背景技術】
【０００２】
従来、パーソナルコンピュータの画面生成装置で生成した操作画面を表示画面投影装置により電子ボードに投影し、表示された操作画面上で指や専用の電子ペンによって文字オブジェクトの描画や、画像オブジェクトの操作を行える電子ボードシステムが知られている。
以前の電子ボードで用いられる座標入力装置では、電磁誘導式のタイプや感圧式タイプのものがあり、利用するペン自体をアンテナとしての受信機として利用するタイプが知られている。
さらに現在、知られている技術として、一点だけでなく二点以上の複数点の座標を同時に入力できる座標入力方法が知られ、その中でも複数点の座標を入力できる方法として、装置上方部から照明により電子ボードの操作領域全体を照らし、装置下部に複数台のカメラを設置し、指や指示棒の影を撮影し、三角測量を応用して、座標を検出する電子ボードシステムも知られている（例えば特許文献１）。
【０００３】
また、複数点の座標を入力できる方式を入力装置として用いたシステムで、各入力それぞれによって独立した機能を実行できるものがある（例えば特許文献２）。
【先行技術文献】
【特許文献】
【０００４】
【特許文献１】特開２０００−１３２３３９号
【特許文献２】特開平８−２６３２１２号
【発明の概要】
【発明が解決しようとする課題】
【０００５】
しかし、先行技術の特許文献２の方法は、入力に電子ペン等を使用することにより、２つあるいはそれ以上の入力点情報が同時に座標入力装置に入力された際に電子ペン等の入力機器の側から識別信号を座標入力装置に伝達することで、その入力点情報がいずれの入力系統に属する情報であるかを特定できることを前提としている。
例えば、ある時点において、第１の入力機器には電子ボード上の書込み機能が、第２の入力機器には電子ボード上の消去機能が割り当てられていた場合、両方の機器が同時に使用された場合であっても、各入力機器からの識別信号により、各入力点の情報が第１、第２どちらの入力機器によるものかが特定でき、それぞれの書込み、消去操作を同時に正しく処理することが可能である。
【０００６】
しかし、特許文献１のような影を使用する方式で、指や指示棒等を入力手段として使用することが可能な座標入力装置を使用する場合、入力手段自身が同様の識別信号を伝えることができないため、２点以上の座標入力が同時に行われた場合、それぞれの入力点情報がどのような操作機能を意図して行われたものか、前述の手段をもって判別することができない。
【０００７】
本発明はこのような問題に鑑みなされたものであり、その目的は、指や指示棒のような電子ボードの操作画面上に対する入力手段自身の固有の識別信号を発生せず、さらに操作画面上の座標入力領域に対する座標入力操作が複数同時に行われる場合においても、各入力信号をその時点で設定されている座標入力領域上の領域境界情報と動的に照合することで適切に識別して処理し、識別された各入力信号を独立した操作機能として動作させることが可能な電子ボードシステム及びプログラムを提供することにある。
【課題を解決するための手段】
【０００８】
上記目的を達成するために、本発明は、電子ボードの表示画面の入力エリアに対して、電子ボードの機能を制御する複数の操作ボタンから成るツールバーを表示し、座標入力手段により指示された操作ボタンに対応する電子ボード機能を実行する表示制御手段を備えた電子ボードシステムであって、
前記表示制御手段が、
前記入力エリアを複数の入力エリアに区分する境界位置に前記ツールバーを表示し、かつ区分した入力エリアにそれぞれ対応した複数列の操作ボタン群を表示する手段と、
前記座標入力手段によって入力された座標点が前記ツールバーの操作ボタン位置であるか、または操作ボタンの周辺部位置であるかを判定し、いずれかの操作ボタン位置であれば当該操作ボタンに割り当てられた電子ボード機能を実行し、前記周辺部位置であり、かつ当該周辺部位置を指示した状態でのツールバー移動操作であれば当該移動操作終了位置までツールバーを移動させ、入力エリアの大きさを変更する手段と、
前記座標入力手段によって入力された座標点が前記ツールバーの表示位置とは異なる位置であれば、入力された座標点とツールバーの表示位置とを比較し、ツールバーの表示位置に対する入力座標点に応じて、当該入力された座標点を複数の入力エリアのいずれかの入力エリアへの入力座標点として決定する手段と
を備えることを特徴とする。
また、本発明に係るプログラムは、電子ボードの表示画面の入力エリアに対して、電子ボードの機能を制御する複数の操作ボタンから成るツールバーを表示し、座標入力手段により指示された操作ボタンに対応する電子ボード機能を実行するプログラムであって、
前記入力エリアを複数の入力エリアに区分する境界位置に前記ツールバーを表示し、かつ区分した入力エリアにそれぞれ対応した複数列の操作ボタン群を表示するステップと、
前記座標入力手段によって入力された座標点が前記ツールバーの操作ボタン位置であるか、または操作ボタンの周辺部位置であるかを判定し、いずれかの操作ボタン位置であれば当該操作ボタンに割り当てられた電子ボード機能を実行し、前記周辺部位置であり、かつ当該周辺部位置を指示した状態でのツールバー移動操作であれば当該移動操作終了位置までツールバーを移動させ、入力エリアの大きさを変更するステップと、
前記座標入力手段によって入力された座標点が前記ツールバーの表示位置とは異なる位置であれば、入力された座標点とツールバーの表示位置とを比較し、ツールバーの表示位置に対する入力座標点に応じて、当該入力された座標点を複数の入力エリアのいずれかの入力エリアへの入力座標点として決定するステップとを備えることを特徴とする。
【発明の効果】
【０００９】
本発明によれば、指や指示棒のような操作画面上に対する座標入力手段自身が固有の識別信号を発生せず、かつ座標入力操作が複数同時に行われる場合においても、各入力信号をその時点で設定されているツールバーの表示位置と照合することにより、入力座標がどの領域に対するものであるかを識別することができる。また、ツールバーの表示位置を移動させることによって入力領域の大きさを自由に変更することができる。
【図面の簡単な説明】
【００１０】
【図１】本発明による電子ボードシステムの実施形態を示すシステム構成図である。
【図２】座標入力装置の構成を示すブロック構成図である。
【図３】表示画面投影装置によって投影表示される電子ボード画像の例を示す図である。
【図４】制御用コンピュータによって生成されるツールバー画像の例を示す図である。
【図５】ツールバーの移動に伴う左右入力領域の変化の例を示す図である。
【図６】制御用コンピュータの主制御部処理のフローチャートである。
【発明を実施するための形態】
【００１１】
以下、本発明の実施形態について図面を用いて詳細に説明する。
図１は、本発明に係る電子ボードシステムの一実施の形態を示すシステム構成図である。
本実施形態の電子ボードシステムは、座標入力装置である電子ボード１０１、座標入力手段である入力ペン１０２、表示画面投影表示装置１０３、表示内容制御プログラム１０４１を記憶する制御用コンピュータ１０４、この制御用コンピュータ１０４に付属したキーボード１０５及び表示装置１０６で構成されている。
制御用コンピュータ１０４は汎用のパーソナルコンピュータと同等の機能と同等であり、
で、内部メモリには文字オブジェクトや画像オブジェクトを処理する表示内容制御プログラム１０４１が格納されている。
電子ボード１０１には、入力ペン１０２や使用者の指での入力操作時の位置座標、および入力物体の大きさを同時に複数検出できる入力エリア１０７が設けられている。
【００１２】
図２は、入力エリア１０７の座標検出に関して、複数の位置での入力座標と入力座標における入力物体の大きさとを検出することができる座標検出装置の一例を示した概略図である。
入力エリア１０７は、入力ペン１０２や指などにより座標を入力する矩形の座標入力面２０１と、座標入力面２０１に沿って扇形に広がる照射光を発し、また、座標入力面２０１に沿って進行する反射光を受光する光学ユニット２０２（そのうち左側にある光学ユニットを２０２Ｌ、右側にある光学ユニットを２０２Ｒとする）と、座標入力面２０１の外縁に配置され光学ユニット２０２が発した照射光を、その入射方向に再帰的に反射する反射部２０３、左右の光学ユニット２０２が反射部２０３から受光した情報を座標情報と入力物体のサイズ情報に変換する検出情報処理装置２０４を有する。
【００１３】
検出情報処理装置２０４は、反射部２０３からの反射光を受光するカメラを内蔵しており、座標入力面２０１に指などの物体が置かれた場合、その物体の大きさに応じて反射光が遮られる。そのため、物体の大きさに応じた影の像がカメラへ入力される。
従って、大きさの異なる物体ＡとＢとを入力エリア１０７に置いた場合、その位置に対応した照射光のスキャンタイミングではそれぞれの物体の大きさに応じたな影の像がカメラに入力される。
検出情報処理装置２０４は、影の像が入力されたタイミングによって物体ＡとＢの座標位置を算出し、かつ影の像の大きさによって物体ＡとＢの大きさを算出し入力点信号を生成する。
検出情報処理装置２０４は制御用コンピュータ１０４と接続されており、この入力点信号の情報を制御用コンピュータ１０４に随時送信している。
【００１４】
図３は、操作画面上の入力エリアへの座標入力操作時に表示されるアイコンと、その入力エリアの関連を示す図である。
図３で示すように、入力エリア１０７に投影される画像にはツールバー３０１が常に表示されている。
ツールバー３０１には各コマンドが割り当てられているアイコンがそれぞれ配置されている。詳細は図４を用いて説明する。
図３ではツールバー３０１は電子ボードの入力エリア１０７の左右中央付近に配置されており、ツールバー３０１を中心にして、入力領域Ｌ３０２と入力領域Ｒ３０２に分けられている。そして、それぞれの入力エリアではそれぞれのコマンドによって手書き入力や、図形入力等が行うことができるようになっている。
【００１５】
図４は、ツールバー３０１において、操作用のアプリケーションがそれぞれのアイコンに割り振られている状態を説明する図である。
図４で示すように、ツールバー３０１は、複数の操作ボタン４０１Ｌ１〜４０１Ｌ６、４０１Ｒ１〜４０１Ｒ６と周辺領域４０３から構成される。
操作ボタン４０１Ｌ１〜４０１Ｌ６、４０１Ｒ１〜４０１Ｒ６は、ある機能についてツールバー３０１上に複数個配置されている。この図では左右二つずつ配置されており、それぞれ、入力エリア１０４上において、ツールバー画像の中心座標点より左右方向左側の入力領域(Ｌ)に対する機能選択用と、左右方向右側の入力領域(Ｒ)への入力に対する機能選択用となっている。
【００１６】
操作者が入力エリア１０７上に投影されたツールバー３０１の操作ボタンのいずれかに触れると、その操作ボタンが示す機能が選択されたものとみなされる。また、操作者がツールバー３０１の周辺領域４０３に触れ、その接触を保ったまま入力点を移動させる操作を行った場合、ツールバー３０１の移動操作とみなされる。
このツールバー３０１の移動操作により、ツールバー３０１の中心座標が変化すると、それに伴い入力領域(Ｌ)と入力領域(Ｒ)がそれぞれ変化する。
【００１７】
図５は、ツールバー３０１の移動によって入力領域(Ｌ)と入力領域(Ｒ)が変化した状態を示す図である。
ここではツールバー３０１が入力エリア１０７の中央部から右側方向に移動した場合の各入力領域の変化を示している。右側の入力領域３０３が狭くなり、入力領域３０３上に書き込まれていた書込み図形３０４は入力領域外の書込みとして、削除される。これは電子ボードに対する書込みまたは消去といった電子ボード機能の実行操作とみなされる。
【００１８】
図６は入力座標の判断を行う表示内容制御プログラムの処理を示すフローチャートである。
最初に座標入力装置１０１から入力座標データを受取り（ステップ６０１）、受け取った入力座標がツールバー３０１上かどうかを判定する（ステップ６０２）。
ツールバー３０１上の座標であった場合にはステップ６０５に進み、さらに入力座標がいずれかの操作ボタン上にあるかどうかを判定する（ステップ６０５）。もし入力座標が操作ボタン上であった場合は、その操作ボタンによる電子黒板機能選択処理を実行する（ステップ６０６）。
この場合、ツールバー３０１の右側の列の操作ボタンであった場合は、入力領域(Ｒ)に対しての機能選択処理、左側の列の操作ボタン上であった場合は、入力領域(Ｌ)に対しての機能選択処理となる。
上記条件が満たされない、すなわち、入力座標が図４の周辺領域４０３であった場合にはツールバー３０１そのものの移動処理を移動操作が終了するまで実行する（ステップ６０７）。
【００１９】
一方、ステップ６０２でツールバー３０１上の座標でない場合は、入力点の水平方向の座標とツールバー３０１の中心点の水平方向座標とを比較する（ステップ６０３）。
入力点の座標がツールバー中心点の座標より大きい場合は、書込み処理や消去処理といった電子ボードにおける各機能処理のうち、入力領域(Ｒ)に対して選択されている機能処理を実行する（ステップ６０８）。
上記の条件が満たされない場合、入力領域(Ｌ)に対して選択されている機能処理を実行する（ステップ６０４）。
【００２０】
以上のように本実施形態によれば、入力エリアをツールバー３０１の表示位置によって複数の入力エリアに分割し、かつツールバーを入力エリア内で移動させることによってそれぞれの入力エリアの大きさを変更可能に構成したため、座標入力手段が指示棒や指などの自身の識別信号を発生しないものであったとしても、それぞれの入力手段の座標位置をツールバーの表示位置を基準として認識し、ツールバーの各操作ボタンに割り当てられた電子黒板機能をそれぞれの入力エリア内で実現することができる。
【００２１】
なお、ツールバー３０１の初期位置は、左右方向のほぼ中心付近として説明したが、左上隅、又は右下隅など、任意の位置でよい。
また、複数の入力手段によって座標点を複数同時に入力可能な電子ボードシステムについて説明したが、入力エリアを複数に分け、１つの入力手段によって各入力エリアに個別に入力する電子ボードシステムにも適用することができる。
また、入力エリアの境界位置に表示されるツールバー３０１には、入力領域を区切る境界線を特に示していないが、境界線を明示するようにすることができる。
【符号の説明】
【００２２】
１０１  座標入力装置
１０２  入力手段
１０３    表示画面投影装置
１０４１  表示内容制御プログラム
１０４  制御用コンピュータ
１０５  キーボード
１０６  表示装置
【図１】
2010257300.tif 000003
【図２】
2010257300.tif 000004
【図３】
2010257300.tif 000005
【図４】
2010257300.tif 000006
【図５】
2010257300.tif 000007
【図６】
2010257300.tif 000008